(57)【要約】【課題】従来のような小ネジや取付金具を用いることなく、電設用取付体を撓ませるだけのワンタッチ操作で壁パネルの開口に仮止めでき、また配線器具を利用して壁パネルを挟着できて部材コストダウン、施工コストダウンを図る。【解決手段】電設用取付体Ｆの両側面部１２，１２を親指と他の指との間に挟んで取付体本体１３を取付体内方に撓ませて壁パネルＷの表面側から開口１０に嵌め込む。嵌め込み後、両側面部１２，１２から手を離すと、取付体本体１３が原形状に戻り、突起片１６，１６がそれぞれ開口１０内周の上下部に弾性当接するとともに、鍔部１５，１５が壁パネルＷの裏面に当接し、これにより電設用取付体Ｆは壁パネルＷの開口１０内にがたつくことなくしかもワンタッチ操作で仮止めできる。スイッチやコンセント等の配線器具Ａは壁パネルＷの表面に当てがい側面部１２の前端部にビス２０で締め付けると、配線器具Ａと鍔部１５，１５をもって壁パネルＷの表裏両面を挟着できて電設用取付体Ｆが壁パネルＷの開口１０内に固定される。【選択図】　　　図６
2004112932.tif 000002
【特許請求の範囲】
【請求項１】
壁パネルの開口内に後付けされる電設用取付体であって、背面部、及びこの背面部の両側端からそれぞれ前方へ連設された一対の相対向する側面部からなる取付体本体と、各側面部の前端部から外方へ張り出され、前記壁パネルの開口周辺の裏面側に当接する鍔部、および各側面部の前端部から前方へ突設され、前記開口の内周一部に弾性当接する突起片とを有しており、
前記取付体本体が前記鍔部どうし間の間隔を少なくとも前記開口の開口幅よりも小さくするよう弾性変形自在に形成されていることを特徴とする、電設用取付体。
【請求項２】
前記側面部が弾性変形自在な枠形状に形成されている、請求項１記載の電設用取付体。
【請求項３】
前記側面部が、前記背面部の側端から前方へ連設された一対の起立枠部と、この起立枠部の前端部どうしを繋いだ前枠部とを有し、前記鍔部及び突起片は前記前枠部に形成されている、請求項２記載の電設用取付体。
【請求項４】
前記背面部が枠形状に形成されている、請求項１ないし３のいずれかに記載の電設用取付体。
【請求項５】
前記背面部に、後方へ起立可能な奥行き増長用脚部を設けてある、請求項１ないし４のいずれかに記載の電設用取付体。
【請求項６】
壁パネルへの電設用取付体の取付構造であって、
前記電設用取付体が、背面部、及びこの背面部の両側端からそれぞれ前方に連設された一対の相対向する枠形状の側面部からなる取付体本体と、各側面部の前端部から外方へ張り出された鍔部、および各側面部の前端部から前方へ突設された突起片とを有しており、
この電設用取付体は前記鍔部どうし間の間隔を少なくとも前記壁パネルの開口の開口幅よりも小さくするよう弾性変形させることで前記壁パネルの表面側から該壁パネルの開口内に嵌め込まれ、かつ前記突起片が前記開口の内周一部に弾性当接していると共に、前記鍔部が壁パネルの開口周辺の裏面側に当接されており、スイッチやコンセント等の配線器具が前記壁パネルの表面上に当てがわれると共に前記側面部の前端部にビスで締め付け固定され、前記壁パネル表面上の前記配線器具と前記鍔部をもって壁パネルの表裏両面が挟着されていることを特徴とする、壁パネルへの電設用取付体の取付構造。
【発明の詳細な説明】
【０００１】
【発明の属する技術分野】
本発明は、間仕切り壁パネル等の壁パネルの開口内にスイッチやコンセント等配線器具を後付け可能にする電設用取付体、及び壁パネルへの電設用取付体の取付構造に関する。
【０００２】
【従来の技術】
間仕切り壁パネル等の壁パネルの開口内に後付けされるスイッチボックス等の電設用ボックスは公知である。この種の電設用ボックスは、たとえば、図７に示すように、前方開放状の直方体箱状に形成されたボックス６０の開口前端縁の数箇所から翼片状の突起物６１を外側方へ張出し形成する一方、該ボックス６０の対向壁面６２，６２にそれぞれ小ネジ６３を前後方向に装着すると共に、該小ネジ６３の先端に爪状の取付金具６４を螺合挿通している。
【０００３】
この電設用ボックスの壁パネルへの取り付けに際しては、図８に示すように、壁パネルＷの所定位置に開口２５をあけ、ボックス６０を壁パネルＷの表面側から開口２５内に嵌め込んで突起物６１を壁パネルＷの表面に当接し、小ネジ６３を締め付けると取付金具６４がボックス６０の対向壁面６２，６２から外方に突出すると共に前進移動して壁パネルＷの裏面に当接し、突起物６１と取付金具６４をもって壁パネルＷの表裏両面を挟むことによりボックス６０が壁パネルＷの開口２５内に固定される。したがって、この電設用ボックスによれば、壁パネルＷの表面側から小ネジ６３を締め付けることにより壁パネルＷの表裏両面を挟着できるので、間仕切り壁パネル等、木ねじの効かない石膏ボードや木板等への電設用ボックスの後付けに最適である。なお、そのように壁パネルＷに固定された電設用ボックス６０にはスイッチやコンセント等の配線器具Ａが前記小ネジ６３とは別のビス６５で締め付け固定される（例えば、特許文献１参照。）。
【０００４】
【特許文献１】
実開昭５０−１３７５９４号公報（第２〜３頁、第１〜３図）
【０００５】
【発明が解決しようとする課題】
しかるに、かかる後付け可能な電設用ボックスでは少なくとも２本の小ネジ６３及び２つの取付金具６４の二種の付帯部材を必要とし、それだけ部材点数およびネジ締め付け工数が増大し、部材コストアップや施工コストアップを招くという問題があった。
【０００６】
本発明は、このような問題を解決するためになされたものであり、上記のような小ネジや取付金具を用いることなく、電設用取付体を撓ませるだけのワンタッチ操作で壁パネルの開口に仮止めでき、また配線器具を利用して壁パネルを挟着できて部材コストダウン、施工コストダウンを図れる電設用取付体及び壁パネルへの電設用取付体の取付構造を提供することを目的とする。
【０００７】
【課題を解決するための手段】
本発明の電設用取付体は、壁パネルの開口内に後付けされる電設用取付体であって、背面部、及びこの背面部の両側端からそれぞれ前方へ連設された一対の相対向する側面部からなる取付体本体と、各側面部の前端部から外方へ張り出され、前記壁パネルの開口周辺の裏面側に当接する鍔部、および各側面部の前端部から前方へ突設され、前記開口の内周一部に弾性当接する突起片とを有しており、前記取付体本体が前記鍔部どうし間の間隔を少なくとも前記開口の開口幅よりも小さくするよう弾性変形自在に形成されていることに特徴を有するものである。
【０００８】
この場合において、前記側面部は平板状または枠形状に形成するが、好ましくは枠形状に形成する。側面部は枠形状に形成する場合、前記背面部の側端から前方へ連設された一対の起立枠部と、この起立枠部の前端部どうしを繋いだ前枠部とを有し、前記鍔部及び突起片は前記前枠部に形成することができる。
また、前記背面部においても平板状または枠形状に形成するが、好ましくは枠形状に形成する。さらに、前記背面部には、後方へ起立可能な奥行き増長用脚部を設けることができる。
【０００９】
本発明の壁パネルへの電設用取付体の取付構造は、前記電設用取付体が、背面部、及びこの背面部の両側端からそれぞれ前方に連設された一対の相対向する枠形状の側面部からなる取付体本体と、各側面部の前端部から外方へ張り出された鍔部、および各側面部の前端部から前方へ突設された突起片とを有しており、この電設用取付体は前記鍔部どうし間の間隔を少なくとも前記壁パネルの開口の開口幅よりも小さくするよう弾性変形させることで前記壁パネルの表面側から該壁パネルの開口内に嵌め込まれ、かつ前記突起片が前記開口の内周一部に弾性当接していると共に、前記鍔部が壁パネルの開口周辺の裏面側に当接されており、スイッチやコンセント等の配線器具が前記壁パネルの表面上に当てがわれると共に前記側面部の前端部にビスで締め付け固定され、前記壁パネル表面上の前記配線器具と前記鍔部をもって壁パネルの表裏両面が挟着されていることに特徴を有するものである。
【００１０】
【作用】
上記構成の電設用取付体及びこれの壁パネルへの取付構造によれば、電設用取付体の取付体本体は背面部と一対の側面部からなり、一対の側面部の前端部どうしを親指と他の指との間に挟んで取付体内方に変位させることにより鍔部どうし間の間隔を壁パネルの開口の開口幅よりも小さくすることができ、この状態で電設用取付体を壁パネルの表面側から該壁パネルの開口内に容易に嵌め込むことができる。嵌め込み後は、両側面部から指を離すことにより取付体本体は弾性復元作用により元の形状に戻り、これに伴って突起片は開口の内周一部に弾性当接すると共に、鍔部は壁パネルの開口周辺の裏面側に当接するため、電設用取付体は壁パネルの開口内に仮止めされる。この仮止め作業はワンタッチ操作で容易に行える。
【００１１】
かかる電設用取付体の仮止め状態下において、スイッチやコンセント等の配線器具は壁パネルの表面に当てがい側面部の前端部にビスで締め付けると、配線器具と鍔部をもって壁パネルの表裏両面を挟着できて電設用取付体が壁パネルの開口内に完全に固定されるとともに、電設用取付体に配線器具が取り付けられる。その際、側面部や背面部が枠形状に形成されていると、取付体本体を取付体内方に撓み変形させ易いばかりか、側面部それ自体又は背面部それ自体の枠内部の空間は、壁パネルの裏面に這わされ、配線器具に接続される電線を電設用取付体内に導入するための従来のノック穴に利用することができ、また相対向する側面部どうし間は塞がれることなく開放状に形成されているためこの開放部からも前記電線を導入できるため、ノック穴の加工を省略できる。
【００１２】
【発明の実施の形態】
本発明の好適な実施形態を図面に基づき説明する。図１は一実施例の電設用取付体の斜視図、図２は図１の電設用取付体の正面図、図３は図２におけるＢ−Ｂ線断面図、図４は図２におけるＣ−Ｃ線断面図、図５は図１の電設用取付体の後付け途上の状態を示す縦断側面図、図６は図１の電設用取付体の後付け完了の状態を示す縦断側面図である。
【００１３】
図５において、Ｗは間仕切り壁パネル等、石膏ボードや木板等の壁パネル、Ｆは本発明の電設用取付体であり、壁パネルＷには電設用取付体Ｆを後付けするための開口１０を穿設している。
【００１４】
電設用取付体Ｆは、硬質塩化ビニル等の樹脂成形品であって、図１〜４に示すように、背面部１１、及びこの背面部１１の両側端からそれぞれ前方へ連設された一対の相対向する側面部１２，１２の三面体からなる取付体本体１３と、各側面部１２の前端部から外方へ張り出された鍔部１５、および各側面部１２の前端部の両端から前方へ突設された突起片１６，１６とを有している。
【００１５】
各側面部１２は枠形状または平板状に形成するが、好ましくはそれ自体を撓み易くするためにも枠形状に形成する。各側面部１２を枠形状に形成する場合は、例えば、図示するように背面部１１の側端部の両端から前方へ垂直に連設された一対の起立枠部１２ａと、この起立枠部１２ａの前端部どうしを繋いだ前枠部１２ｂとを有する門形の枠形状に形成され、前記鍔部１５は前枠部１２ｂの外側端に同一面状に張り出し形成され、突起片１６は前枠部１２ｂの両端から前方へ一体に突設されている。突起片１６の前枠部１２ｂからの突出長さは壁パネルＷの略厚みｔ（図５参照）程度に設定してある。
一対の側面部１２，１２は各々が取付体内方へわん曲状に弾性変形したり、背面部１１との連接部を支点にして取付体内外方向Ｘ（図３参照）に弾性変形したりするように形成されており、この取付体内方への弾性変形により鍔部１５，１５どうし間の間隔ａ（図５参照）が少なくとも壁パネルＷの開口１０の開口幅（縦寸法）ｂ（図５参照）よりも小さくなるように構成されている。
各側面部１２の前端部、すなわち前枠部１２ｂの中央部にはナット２３をインサート成形したボス２４を前後方向に設けている。
【００１６】
背面部１１は枠形状もしくは平板形状に形成するが、好ましくは両側面部１２，１２と共に背面部１１それ自体も取付体内方向に撓み変形し易くするために枠形状に形成する。図示例では、背面部１１は縦横枠部１１ａ，１１ｂで四角形枠形状に形成している。
【００１７】
また、背面部１１には、コの字形状の奥行き増長用脚部１７，１７をそれぞれ後方へ起立可能に設けてある。図示例では、奥行き増長用脚部１７は背面部１１の縦枠部１１ａの内部に対し薄肉ヒンジ部１８によって繋がれている。かくして、奥行き増長用脚部１７は、図４に仮想線Ｇで示すように、薄肉ヒンジ部１８を支点にして後方へ９０度起立状に塑性変形させることができるようになしている。
【００１８】
上記構成の電設用取付体Ｆを壁パネルＷに後付けするには、図５に示すように、壁パネルＷの所定箇所に開口１０をあけ、電設用取付体Ｆの両側面部１２，１２の前端部どうしを親指と他の指との間に挟んで取付体本体１３を取付体内方に撓ませることにより鍔部１５，１５どうし間の間隔を開口１０の開口幅よりも小さくすると共に、壁パネルＷ内から引き出される電線Ｄを側面部１２の枠内部や側面部１２，１２どうし間の開放部、あるいは枠形状の背面部１１の枠内部などに通したうえで、この電設用取付体Ｆを壁パネルＷの表面側から開口１０に嵌め込む。嵌め込み後、両側面部１２，１２から手を離すと、取付体本体１３が弾性復元作用により原形状に戻り、図６に示すように、突起片１６，１６が開口１０内周の上下の角部にそれぞれ弾性当接するとともに、鍔部１５，１５が壁パネルＷの開口１０周辺の裏面側に当接し、これにより電設用取付体Ｆは壁パネルＷの開口１０内にがたつくことなくしかもワンタッチ操作で仮止めできる。
【００１９】
次いで、スイッチやコンセント等の配線器具Ａを電線Ｄと結線した後に壁パネルＷの表面側に当てがい、ビス２０を配線器具Ａのビス挿通穴２１に挿通させるとともに、電設用取付体Ｆのボス２４内のナット２３の雌ねじにねじ込んで締め付ける。すると、壁パネルＷ表面上の配線器具Ａと壁パネルＷ裏面上の鍔部１５，１５でもって壁パネルＷの表裏両面を挟着できて電設用取付体Ｆが壁パネルＷの開口１０内に完全に固定されるとともに、電設用取付体Ｆに配線器具Ａが取り付けられる。
【００２０】
電設用取付体Ｆを壁パネルＷに後付けする際、図６において、壁パネルＷの後方に対向配備された裏板２５が実線で示す位置よりも後方位置（図６に仮想線Ｈで示す位置）にあって、この仮想線Ｈで示す裏板２５と壁パネルＷとの間の間隔寸法（壁裏空間）が、奥行き増長用脚部１７を起立させる前の状態での電設用取付体Ｆの奥行き寸法よりも比較的大きい場合は、予め図４に仮想線Ｇで示すごとく奥行き増長用脚部１７を前述の要領で後方へ起立状に塑性変形させたうえで、電設用取付体Ｆを壁パネルＷの開口１０内に嵌め込む。これにより奥行き増長用脚部１７の自由端部１７ａ（図４参照）が図６に仮想線で示すごとく裏板２５に当接するため電設用取付体Ｆは壁パネルＷの開口１０内に安定よく納められる。
【００２１】
上記実施例では、電設用取付体Ｆは両側面部１２，１２を上下縦向きにして使用する場合について説明したが、両側面部１２，１２を左右横向きにして使用することもできる。
【００２２】
【発明の効果】
以上説明したように、本発明によれば、従来の後付け可能な電設用ボックスのような小ネジや取付金具の付帯部材を一切用いることなく、電設用取付体を撓ませるだけのワンタッチ操作で壁パネルの開口に仮止めでき、また配線器具を利用して壁パネルを挟着できるので、部材コストダウン、施工コストダウンを図ることができる利点がある。
【図面の簡単な説明】
【図１】本発明の一実施例の電設用取付体の斜視図である。
【図２】図１の電設用取付体の正面図である。
【図３】図２におけるＢ−Ｂ線断面図である。
【図４】図２におけるＣ−Ｃ線断面図である。
【図５】図１の電設用取付体の後付け途上の状態を示す縦断側面図である。
【図６】図１の電設用取付体の後付け完了の状態を示す縦断側面図である。
【図７】従来例の電設用ボックスの斜視図である。
【図８】従来例の電設用ボックスの後付け完了の状態を示す縦断側面図である。
【符号の説明】
Ａ　配線器具
Ｆ　電設用取付体
Ｗ　壁パネル
１０　開口
１１　背面部
１２　側面部
１２ａ　起立枠部
１２ｂ　前枠部
１３　取付体本体
１５　鍔部
１６　突起片
１７　奥行き増長用脚部
２０　ビス
【図１】
2004112932.tif 000003
【図２】
2004112932.tif 000004
【図３】
2004112932.tif 000005
【図４】
2004112932.tif 000006
【図５】
2004112932.tif 000007
【図６】
2004112932.tif 000008
【図７】
2004112932.tif 000009
【図８】
2004112932.tif 000010